(57)【要約】【課題】表示端末装置の表示画面を複写する場合に、コピー機の読取領域と、表示端末装置の表示画面とを最適な位置に容易に合わせることができる表示端末装置を提供する。【解決手段】コピー機１００の読取領域と、表示端末装置１の表示画面とが対向するように、表示端末装置１をコピー機１００の原稿台１０１に載置する。そして、原稿台１０１の上方から見て、表示画面の短辺の位置を示す直線状の背面識別マーク１１と、原稿台１０１の短辺である短辺基準線１０７とが直線状につながるように表示端末装置１の位置合わせを行う。また、表示画面の長辺の位置を示す直線状の背面識別マーク１２と、原稿台１０１の長辺である長辺基準線１０８とが直線状につながるように表示端末装置１の位置合わせを行う。【選択図】図５
2010141793.tif 000002
【特許請求の範囲】
【請求項１】
正面および背面を少なくとも有する筐体の前記正面に情報を表示する表示画面が設けられた表示端末装置であって、
前記正面以外の面に、前記正面における前記表示画面の位置を識別するための識別マークが設けられていることを特徴とする表示端末装置。
【請求項２】
前記識別マークは、前記背面に設けられていることを特徴とする請求項１に記載の表示端末装置。
【請求項３】
前記筐体は側面を有し、
前記識別マークは、前記側面に設けられていることを特徴とする請求項１又は２に記載の表示端末装置。
【請求項４】
前記表示画面は平面視略四角形であり、
前記識別マークは、前記表示画面の輪郭線の隣り合う二辺の位置を示すことを特徴とする請求項１乃至３のいずれかに記載の表示端末装置。
【請求項５】
前記表示画面は平面視略四角形であり、
前記識別マークは、前記表示画面の輪郭線の少なくとも一つの角の位置を示すことを特徴とする請求項１乃至３のいずれかに記載の表示端末装置。
【請求項６】
前記識別マークは、前記少なくとも一つの角の位置として前記表示画面の輪郭線の左上の角の位置を示すことを特徴とする請求項５に記載の表示端末装置。
【請求項７】
前記識別マークは、前記少なくとも一つの角の位置として前記表示画面の輪郭線の右下の角の位置を示すことを特徴とする請求項６に記載の表示端末装置。
【請求項８】
前記識別マークは、前記少なくとも一つの角の位置として前記表示画面の輪郭線の四つの角の位置を示すことを特徴とする請求項５に記載の表示端末装置。
【請求項９】
前記識別マークは、前記少なくとも一つの角の位置として前記表示画面の輪郭線の上部の角および下部の角を示し、前記上部の角および前記下部の角でそれぞれ異なるマークであることを特徴とする請求項５に記載の表示端末装置。
【請求項１０】
前記識別マークは、前記表示画面を前記背面に投影した領域の輪郭線であることを特徴とする請求項１又は２に記載の表示端末装置。
【請求項１１】
前記識別マークは、前記表示画面の中心の位置を示すことを特徴とする請求項１乃至１０のいずれかに記載の表示端末装置。
【請求項１２】
前記識別マークは、線で構成されていることを特徴とする請求項１乃至１１のいずれかに記載の表示端末装置。
【請求項１３】
前記識別マークは、前記識別マークが設けられた前記背面および側面の少なくとも一方の端部まで到達することを特徴とする請求項１乃至１２のいずれかに記載の表示端末装置。
【請求項１４】
前記識別マークは、前記筐体の外面に対して凹部として形成されていることを特徴とする請求項１乃至１３のいずれかに記載の表示端末装置。
【発明の詳細な説明】
【技術分野】
【０００１】
本発明は、筐体に表示画面が設けられた表示端末装置に関する。
【背景技術】
【０００２】
近年、スケジュールおよび書籍等の情報を不揮発性メモリに記憶して、表示画面に表示する電子機器である表示端末装置が普及している。この表示端末装置は、コンパクト、かつ軽量であるため、持ち運びが容易である。このような表示端末装置の表示画面に表示される情報を印刷したい場合、ユーザは、ケーブルを用いてプリンタに表示端末装置を直接接続して印刷する。しかし、プリンタに接続して印刷設定を行う手間をかけず、簡易に表示端末装置の表示画面に表示された情報を出力したい場合がある。その様な場合に、コピー機の原稿の読取個所である原稿台上に、原稿台と表示画面とが対向するように表示端末装置を載置し、表示画面に表示される情報を複写することが提案されている（例えば、特許文献１参照）。
【特許文献１】特開２００６−２５４２２４号公報
【発明の開示】
【発明が解決しようとする課題】
【０００３】
しかしながら、上記特許文献１に記載の表示端末装置では、原稿台上での表示画面の位置をコピー機の読取領域に合わせようとしても、表示端末装置の表示画面をユーザは直接視認できない。従って、コピー機の読取領域と、表示端末装置の表示画面とを最適な位置に合わせることが困難であるという問題点があった。その結果、表示画面が全部複写できない場合があるという問題点もあった。
【０００４】
本発明は、上記問題点を解決するためになされたものであり、表示端末装置の表示画面を複写する場合に、コピー機の読取領域と、表示端末装置の表示画面とを最適な位置に容易に合わせることができる表示端末装置を提供することを目的とする。
【課題を解決するための手段】
【０００５】
上記目的を達成するために、請求項１に係る発明の表示端末装置は、正面および背面を少なくとも有する筐体の前記正面に情報を表示する表示画面が設けられた表示端末装置であって、前記正面以外の面に、前記正面における前記表示画面の位置を識別するための識別マークが設けられていることを特徴とする。
【０００６】
また、請求項２に係る発明の表示端末装置は、請求項１に記載の発明の構成に加えて、前記識別マークは、前記背面に設けられていることを特徴とする。
【０００７】
また、請求項３に係る発明の表示端末装置は、請求項１又は２に記載の発明の構成に加えて、前記筐体は側面を有し、前記識別マークは、前記側面に設けられていることを特徴とする。
【０００８】
また、請求項４に係る発明の表示端末装置は、請求項１乃至３のいずれかに記載の発明の構成に加えて、前記表示画面は平面視略四角形であり、前記識別マークは、前記表示画面の輪郭線の隣り合う二辺の位置を示すことを特徴とする。
【０００９】
また、請求項５に係る発明の表示端末装置は、請求項１乃至３のいずれかに記載の発明の構成に加えて、前記表示画面は平面視略四角形であり、前記識別マークは、前記表示画面の輪郭線の少なくとも一つの角の位置を示すことを特徴とする。
【００１０】
また、請求項６に係る発明の表示端末装置は、請求項５に記載の発明の構成に加えて、前記識別マークは、前記少なくとも一つの角の位置として前記表示画面の輪郭線の左上の角の位置を示すことを特徴とする。
【００１１】
また、請求項７に係る発明の表示端末装置は、請求項６に記載の発明の構成に加えて、前記識別マークは、前記少なくとも一つの角の位置として前記表示画面の輪郭線の右下の角の位置を示すことを特徴とする。
【００１２】
また、請求項８に係る発明の表示端末装置は、請求項５に記載の発明の構成に加えて、前記識別マークは、前記少なくとも一つの角の位置として前記表示画面の輪郭線の四つの角の位置を示すことを特徴とする。
【００１３】
また、請求項９に係る発明の表示端末装置は、請求項５に記載の発明の構成に加えて、前記識別マークは、前記少なくとも一つの角の位置として前記表示画面の輪郭線の上部の角および下部の角を示し、前記上部の角および前記下部の角でそれぞれ異なるマークであることを特徴とする。
【００１４】
また、請求項１０に係る発明の表示端末装置は、請求項１又は２に記載の発明の構成に加えて、前記識別マークは、前記表示画面を前記背面に投影した領域の輪郭線であることを特徴とする。
【００１５】
また、請求項１１に係る発明の表示端末装置は、請求項１乃至１０のいずれかに記載の構成に加えて、前記識別マークは、前記表示画面の中心の位置を示すことを特徴とする。
【００１６】
また、請求項１２に係る発明の表示端末装置は、請求項１乃至１１のいずれかに記載の構成に加えて、前記識別マークは、線で構成されていることを特徴とする。
【００１７】
また、請求項１３に係る発明の表示端末装置は、請求項１乃至１２のいずれかに記載の構成に加えて、前記識別マークは、前記識別マークが設けられた前記背面および側面の少なくとも一方の端部まで到達することを特徴とする。
【００１８】
また、請求項１４に係る発明の表示端末装置は、請求項１乃至１３のいずれかに記載の構成に加えて、前記識別マークは、前記筐体の外面に対して凹部として形成されていることを特徴とする。
【発明の効果】
【００１９】
請求項１に係る発明の表示端末装置には、正面および背面を少なくとも有する筐体の正面に情報を表示する表示画面が設けられ、正面以外の面に、表示画面の位置を識別するための識別マークが設けられている。よって、ユーザは、表示端末装置の表示画面を視認困難な場合でも、識別マークを目安として、表示端末装置をコピー機の原稿台に載置することにより、コピー機の読取領域に対して最適な位置に表示画面の位置合わせを行うことができる。
【００２０】
また、請求項２に係る発明の表示端末装置では、識別マークは、背面に設けられている。表示端末装置の表示画面とコピー機の原稿台とが対向する様に表示端末装置を載置した状態であっても、背面は視認できる。よって、請求項１に記載の発明の効果に加え、ユーザは、表示端末装置の表示画面を視認困難な場合でも、視認可能な背面に設けられた識別マークを目安として、表示端末装置をコピー機の原稿台に載置することにより、コピー機の読取領域に対して表示画面の位置合わせを行うことができる。
【００２１】
また、請求項３に係る発明の表示端末装置では、筐体は側面を有し、識別マークは、側面に設けられている。表示端末装置の表示画面とコピー機の原稿台とが対向する様に表示端末装置を載置し、原稿カバーを閉じた状態であっても側面は視認できる。よって、請求項１又は２に記載の発明の効果に加え、ユーザは、表示端末装置の表示画面を視認できない場合でも、視認可能な側面に設けられた識別マークを目安として、表示端末装置をコピー機の原稿台に載置することにより、コピー機の読取領域に対して表示画面の位置合わせを行うことができる。
【００２２】
また、請求項４に係る発明の表示端末装置では、表示画面は四角形であり、識別マークは、表示画面の輪郭線の隣り合う二辺の位置を示す。隣り合う二辺は方向が異なり、例えば、上下方向および左右方向の二方向の目安となる。よって、請求項１乃至３のいずれかに記載の発明の効果に加え、ユーザは、表示画面の輪郭線の隣り合う二辺を示す識別マークを目安として、表示端末装置をコピー機の原稿台に載置することにより、コピー機の読取領域に対して表示画面を二方向から精度良く合わせることができる。
【００２３】
また、請求項５に係る発明の表示端末装置では、表示画面は四角形であり、識別マークは、表示画面の輪郭線の少なくとも一つの角の位置を示す。よって、請求項１乃至３のいずれかに記載の発明の効果に加え、表示画面の輪郭線の少なくとも一つの角を示す識別マークを目安として、表示端末装置をコピー機の原稿台に載置することにより、コピー機の読取領域に対して表示画面の位置合わせを行うことができる。
【００２４】
また、請求項６に係る発明の表示端末装置では、識別マークは、表示画面の輪郭線の左上の角の位置を示す。通常、表示画面の左上の角は、表示の基準点であることが多い。よって、請求項５に記載の発明の効果に加え、ユーザは、表示画面の輪郭線の左上の角の位置を示す識別マークを目安として、表示端末装置をコピー機の原稿台に載置することにより、コピー機の読取領域に対して表示画面の位置合わせを行うことができる。さらに、表示の基準点を、コピー機の読取領域内の任意の位置に指定することができる。
【００２５】
また、請求項７に係る発明の表示端末装置では、識別マークは、表示画面の輪郭線の右下の角の位置を示す。表示画面の右下の角は、表示画面の左上の角の対角に位置する。よって、請求項６に記載の発明の効果に加え、ユーザは、左上の角および右下の角の位置をそれぞれ示す識別マークの位置関係により、表示画面のサイズを把握することができる。
【００２６】
また、請求項８に係る発明の表示端末装置では、識別マークは、表示画面の輪郭線の四つの角の位置を示す。よって、請求項５に記載の発明の効果に加え、ユーザは表示画面の位置を容易に把握でき、表示画面の四つの角の位置を示す識別マークを目安として、表示端末装置をコピー機の原稿台に載置することにより、コピー機の読取領域に対して表示画面の位置合わせを容易に行うことができる。
【００２７】
また、請求項９に係る発明の表示端末装置では、識別マークは、表示画面の輪郭線の上部の角および下部の角を示し、上部の角および下部の角でそれぞれ異なる識別マークを形成している。よって、請求項５に記載の発明の効果に加え、ユーザは、表示画面が視認できない場合でも、識別マークにより表示端末装置のどちらが上かを判断することができる。
【００２８】
また、請求項１０に係る発明の表示端末装置では、識別マークは、表示画面を背面に投影した領域の輪郭線である。よって、請求項１又は２に記載の発明の効果に加え、ユーザは表示画面の全体の位置を容易に把握でき、背面に設けられた輪郭線を目安として、表示端末装置をコピー機の原稿台に載置することにより、コピー機の読取領域に対して表示画面の位置合わせを容易に行うことができる。
【００２９】
また、請求項１１に係る発明の表示端末装置では、識別マークは、表示画面の中心の位置を示す。よって、請求項１乃至１０のいずれかに記載の発明の効果に加え、ユーザは、表示画面の中心の位置を示す識別マークを目安として、表示端末装置をコピー機の原稿台に載置することにより、コピー機の読取領域の中心に対して表示画面の位置合わせを行うことができる。
【００３０】
また、請求項１２に係る発明の表示端末装置では、識別マークは、線で構成されている。よって、請求項１乃至１１のいずれかに記載の発明の効果に加え、識別マークを簡便に低コストで構成することができる。
【００３１】
また、請求項１３に係る発明の表示端末装置では、識別マークは、識別マークが設けられた背面および側面の少なくとも一方の端部まで到達する。よって、請求項１乃至１２のいずれかに記載の発明の効果に加え、コピー機の読取領域に対して表示画面の位置合わせをする場合に、識別マークとコピー機側の基準位置とを直に突き合わせることができるので精度良く合わせることができる。
【００３２】
また、請求項１４に係る発明の表示端末装置では、識別マークは筐体の外面に対して凹部として形成されている。よって、請求項１乃至１３のいずれかに記載の発明の効果に加え、表示端末装置の表示画面とコピー機の原稿台とが対向する様に表示端末装置を載置した状態で、ユーザ原稿カバーを閉めたとしても、識別マークと原稿カバーとが干渉することなく、原稿カバーを安定して閉じることができる。
【発明を実施するための最良の形態】
【００３３】
以下、本発明に係る表示端末装置１の実施形態について図面を参照して説明する。まず、表示端末装置１の物理的構成について、図１乃至図３を参照して説明する。図１は、表示端末装置１の正面側斜め上方から見た斜視図である。図２は、上側面１８１、左側面１８３および背面１９に側面識別マークおよび背面識別マークが設けられた表示端末装置１の背面側斜め上方から見た斜視図である。図３は、下側面１８２、右側面１８４および背面１９に側面識別マークおよび背面識別マークが設けられた表示端末装置１の背面側斜め下方から見た斜視図である。なお、図１において、紙面の左右方向が表示端末装置１の左右方向、紙面の上下方向が表示端末装置１の上下方向と定められている。
【００３４】
図１に示すように、表示端末装置１は正面１７、上側面１８１、下側面１８２、左側面１８３、右側面１８４および背面１９を有する略直方体形状の筐体４０を備えている。表示端末装置１の正面１７には情報を表示する平面視長方形状の表示画面１０が設けられている。表示画面１０のサイズは、例えばＡ５縦サイズであり、表示画面１０の左上の角２３が情報を表示する基準の位置である。表示画面１０の短辺は、表示端末装置１の左右方向に形成され、表示画面１０の長辺は、表示端末装置１の上下方向に形成される。そして、表示画面１０の右側の長辺の中央の外周部２４には、複数のボタンから構成される操作部２０が設けられている。この操作部２０は、ユーザが表示端末装置１に各種指示を入力するためのものである。また、図示しないが、表示端末装置１の左側面１８３にはメモリカード３６（図４参照）を挿入する挿入口が設けられている。
【００３５】
図２に示すように、表示端末装置１の背面１９には、背面識別マーク１１および１２が設けられている。背面識別マーク１１および１２は、表示画面１０（図１参照）の位置を表示端末装置１の背面１９から示す直線状の識別マークである。なお、直線状の識別マークは印刷により形成しても良いし、溝状に形成しても良い。後述する他の識別マークについても同様である。背面識別マーク１１は、表示画面１０の上部の短辺２１（図１参照）の位置を示す。具体的には、表示画面１０を背面１９に投影した場合に短辺２１に対応する直線である。また、背面識別マーク１２は、表示画面１０の左側の長辺２２（図１参照）の位置を示す。具体的には、表示画面１０を背面１９に投影した場合に長辺２２に対応する直線である。背面識別マーク１１および背面識別マーク１２は、表示画面１０の表示画面１０を背面１９に投影した場合に、表示画面１０の左上の角２３を示す位置で直交する。背面識別マーク１１および背面識別マーク１２は、それぞれ表示端末装置１の背面１９の両端にまで到達している。
【００３６】
また、図２および図３に示すように、表示端末装置１の上側面１８１、左側面１８３、右側面１８４および下側面１８２には、側面識別マーク１３、１４、１５および１６が設けられている。側面識別マーク１３、１４、１５および１６は、表示画面１０の位置を表示端末装置１の側面１８１〜１８４から示す直線状の識別マークである。側面識別マーク１３および１６は、表示画面１０の長辺２２の位置を示す直線である。具体的には、側面識別マーク１３および１６は、表示画面１０を背面１９に投影した場合に、長辺２２に対応する直線を上側面１８１および下側面１８２にまでそれぞれ延長した直線である。側面識別マーク１４および１５は、表示画面１０の短辺の位置を示す直線である。具体的には、側面識別マーク１４および１５は、表示画面１０を背面１９に投影した場合に、短辺２１に対応する直線を左側面１８３および右側面１８４にまでそれぞれ延長した直線である。側面識別マーク１３、１４、１５および１６は、背面識別マーク１１および１２と同様、それぞれ、表示端末装置１の側面１８１〜１８４の両端にまで到達しており、背面識別マーク１１および１２とつながっている。なお、詳細は後述するが、表示端末装置１の背面１９および側面１８１〜１８４に設けられた識別マークは、表示画面１０をコピー機１００（図５参照）で複写する際の位置合わせに使用される。
【００３７】
次に、表示端末装置１の電気的構成について、図４を参照して説明する。図４は、表示端末装置１の電気的構成を示すブロック図である。図４に示すように、この表示端末装置１は、表示端末装置１の制御を司るＣＰＵ３１を備えている。ＣＰＵ３１には、バス３８を介してＲＯＭ３２、ＲＡＭ３３、ＥＥＰＲＯＭ３４、表示画面１０、メモリカードＩ／Ｆ３５および操作部２０が接続されている。そして、メモリカードＩ／Ｆ３５には、メモリカード３６が接続可能になっている。以下、ＣＰＵ３１、ＲＯＭ３２、ＲＡＭ３３、ＥＥＰＲＯＭ３４およびメモリカード３６について説明する。
【００３８】
ＣＰＵ３１は、表示端末装置１の主制御を司り、ＲＯＭ３２に記憶された制御プログラムに従って、表示端末装置１の表示画面１０に画像を出力するための各種演算および処理を実行する。ＲＯＭ３２は、ＣＰＵ３１が実行するＢＩＯＳ等のプログラムを記憶する読み出し専用の記憶装置である。ＲＡＭ３３は、任意に読み書き可能な記憶素子であり、ＲＯＭ３２やＥＥＰＲＯＭ３４から読み出された各種設定値、ＣＰＵ３１が演算処理した演算結果を収容する各種記憶エリアが必要に応じて設けられている。ＥＥＰＲＯＭ３４は、読み書き可能な、電源を切ってもデータが消えない不揮発性記憶素子である。メモリカード３６は、例えば、表示画面１０に表示させる各種の情報（コンテンツ）を記憶する外部記憶媒体である。ユーザは、メモリカード３６に記憶されたコンテンツや、外部からダウンロードしたコンテンツを表示画面１０に表示させ、閲覧することができる。
【００３９】
次に、図５および図６を参照して、ユーザが、コピー機１００でコンテンツが表示された表示端末装置１の表示画面１０（図１参照）を複写する場合の複写方法について説明する。図５は、表示端末装置１が原稿台１０１に載置されたコピー機１００を右斜め上方から見た斜視図である。図６は、表示端末装置１が原稿台１０１に載置された状態で原稿カバー１０３が閉じられたコピー機１００を左斜め上方から見た斜視図である。
【００４０】
まず、図５を参照してコピー機１００について説明する。図５に示すコピー機１００は周知のコピー機であり、記録用紙などに画像、文字および記号などを複写することが可能なコピー機である。また、コピー機１００は例示であり、複写機能の他、ファクシミリ機能、プリンタ機能およびスキャナ機能などを備えた複合機であっても良い。なお、図５において、紙面の左斜め下方向がコピー機１００の正面方向、紙面の右斜め上方向がコピー機１００の背面方向、紙面の右斜め下方向がコピー機１００の右方向、および紙面の左斜め上方向がコピー機１００の左方向と定められている。
【００４１】
コピー機１００の正面側には、複写の開始をコピー機１００に指示するための複写ボタン１０４、および用紙サイズの設定、拡大・縮小率の設定などが可能な液晶パネル１０５が設けられている。そして、液晶パネル１０５の背面側には、透明なガラスで構成される平面視長方形状の原稿台１０１が設けられている。原稿台１０１には複写対象が載置される。また、原稿台１０１に載置された複写対象を押圧可能な原稿カバー１０３が、原稿台１０１に対して、蝶番１０２を介して回動開閉可能に設けられている。蝶番１０６は、コピー機１００の上面の背面端部に設けられている。このコピー機１００は端基準を採用している。端基準とは、原稿台１０１に複写対象を載置する際、複写対象を原稿台１０１の左側の短辺である短辺基準線１０７、および原稿台１０１の背面側の長辺である長辺基準線１０８とで構成される左奥の角に突き当てる方式を言う。
【００４２】
以下、表示端末装置１の表示画面１０の複写方法について説明する。図５に示すように、ユーザは、表示端末装置１を原稿台１０１の左奥の角と重なる状態で、原稿台１０１と表示画面１０（図１参照）とが対向するように原稿台１０１に載置する。このとき、原稿台１０１の上方から、表示端末装置１の背面１９に設けられた背面識別マーク１１および１２と、原稿台１０１に設けられた短辺基準線１０７および長辺基準線１０８とを確認する。そして、背面識別マーク１１と短辺基準線１０７とが直線でつながるように、また、背面識別マーク１２と長辺基準線１０８とが直線でつながるように表示端末装置１の位置合わせを行う。なお、図５に示すように、表示端末装置１の右側面１８４に設けられた側面識別マーク１５、および下側面１８２に設けられた側面識別マーク１６を用いて、コピー機１００の読取領域と、表示端末装置１の表示画面１０との位置合わせを行うこともできる。
【００４３】
次いで、ユーザは、原稿カバー１０３を閉じる。ユーザは、表示画面１０のサイズ（例えばＡ５）を把握している場合は、液晶パネル１０５に設けられたタッチパネルにより、表示画面１０のサイズ（例えばＡ５）を用紙サイズとして設定する。そして、複写ボタン１０４を押下すると、表示画面１０に表示された文字などの情報が用紙に複写される。この場合、前述したように、原稿台１０１の左奥の角と表示画面１０の角の位置が適切に合わせられているので、複写されるのは表示画面１０の領域のみとなる。なお、ユーザが表示画面１０のサイズを把握していない場合は、原稿台１０１に設けられた目盛（Ａ４Ｒ、Ａ３など）を見て、筐体４０の右側面１８４および下側面１８２の位置から適切な用紙サイズを選択すれば良い。また、コピー機１００は、原稿カバー１０３を閉じることにより、原稿台１０１に載置された複写対象のサイズを検知して複写対象のサイズに適合する用紙サイズが自動的に選択される機能を備えている。この機能を利用する場合も、表示端末装置１の原稿台１０１に載置された部分よりも大きいサイズの用紙サイズが選択されるので、表示画面１０を確実に全部複写することができる。
【００４４】
また、図６に示すように、原稿カバー１０３が閉じられた状態においても、表示端末装置１は厚みを有するため、僅かに原稿台１０１が視認可能である。この場合、表示端末装置１の背面１９は視認困難であるが、側面１８１〜１８４は視認可能である。このような場合の表示端末装置１の位置合わせ方法について説明する。前述したように、表示端末装置１の右側面１８４には、側面識別マーク１５が設けられ、下側面１８２（図５参照）には、側面識別マーク１６が設けられている。よって、ユーザは、例えば、原稿カバー１０３を閉じた後に表示端末装置１の位置合わせを行う場合、又は原稿カバー１０３を閉じた際に表示端末装置１の位置がずれた場合に、側面識別マーク１５および１６を利用して位置合わせを行うことができる。具体的には、表示端末装置１の右側面１８４に設けられた側面識別マーク１５、および下側面１８２に設けられた側面識別マーク１６と、短辺基準線１０７および長辺基準線１０８とを確認する。そして、側面識別マーク１５と短辺基準線１０７とが直線でつながるように、また、側面識別マーク１６と長辺基準線１０８とが直線でつながるように表示端末装置１を移動する。
【００４５】
このように、表示端末装置１の背面１９が視認困難な場合でも、側面１８１〜１８４に設けられた識別マークにより、コピー機１００の読取領域と、表示端末装置１の表示画面１０との位置合わせを容易に行うことができる。なお、例えば、図６に示すように、コピー機１００の側面に原稿台１０１の長辺基準線１０８、短辺基準線１０７の位置を示す目印である側面合わせマーク１１０および１２０が設けられていれば、コピー機１００の読取領域と、表示端末装置１の表示画面１０との位置合わせをさらに容易に行うことができる。
【００４６】
このように、識別マーク（１１乃至１６）を利用すれば、原稿台１０１に表示端末装置１を載置する際、表示画面１０の全体を確実に複写できる最適な位置に表示端末装置１を合わせることができる。そして、ユーザが表示画面１０の大きさを把握している場合は、表示画面１０のみを複写することができ、複写結果の見栄えも良い。また、表示画面１０の識別マークを直線で形成することにより、簡便に低コストで識別マークを構成することができる。
【００４７】
以下に、図７乃至１４を参照して、背面１９および側面１８１〜１８４の少なくとも一方に識別マークを設けた他の実施形態について説明する。
【００４８】
図７に示すように、表示端末装置５０の背面１９のみに矢印識別マーク５１および５２が設けられていても良い。図７は、背面１９に矢印識別マーク５１および５２が設けられた表示端末装置５０の背面側斜め上方から見た斜視図である。表示端末装置５０の背面１９には、表示画面１０（図１参照）の位置を矢印で示す矢印識別マーク５１および５２が設けられている。具体的には、矢印識別マーク５１は、前述の背面識別マーク１１と同様、表示画面１０の短辺２１（図１参照）の位置を示し、背面１９の右側面１８４（図３参照）と接する側の端を指す矢印である。矢印識別マーク５２は、前述の背面識別マーク１２と同様、表示画面１０の長辺２２（図１参照）の位置を示し、背面１９の下側面１８２（図３参照）と接する側の端を指す矢印である。
【００４９】
表示端末装置５０の表示画面１０を複写する場合、ユーザは、矢印識別マーク５１と短辺基準線１０７とが直線でつながるように、また、矢印識別マーク５２と長辺基準線１０８とが直線でつながるように表示端末装置５０の位置を合わせれば良い。このように、矢印で表示端末装置５０の表示画面１０の短辺２１および長辺２２の位置を示すことで、ユーザは表示画面の位置を容易に把握でき、コピー機１００の読取領域と表示画面１０との位置合わせを容易に行うことができる。
【００５０】
また、図８に示すように、表示端末装置５５の側面（１８２および１８４）のみに識別マークが設けられていても良い。図８は、右側面１８４および下側面１８２にそれぞれ側面識別マーク５６および５７が設けられた表示端末装置５５の背面側斜め下方から見た斜視図である。表示端末装置５５の右側面１８４および下側面１８２には、表示画面１０（図１参照）の位置を示す直線状の側面識別マーク５６および５７が設けられている。側面識別マーク５６は表示画面１０の短辺２１の位置を示し、側面識別マーク５７は表示画面１０の長辺２２の位置を示す。また、側面識別マーク５６および５７は、それぞれ表示端末装置５５の右側面１８４および下側面１８２の両端にまで到達している。つまり、側面識別マーク５６および５７は、前述の側面識別マーク１５および１６と同一の構成を有する。よって、表示端末装置５５の複写方法については、図６を参照して説明した側面識別マーク１５および１６を用いた複写方法と同様であるため、説明は省略する。
【００５１】
このように、表示端末装置５５の側面（１８２および１８４）のみに識別マークを設けることによっても、容易にコピー機１００の読取領域と、表示端末装置５５の表示画面１０との位置合わせを行うことができる。
【００５２】
また、図９に示すように表示端末装置６０の背面１９に背面識別マーク６１および６２が設けられていても良い。図９は、背面１９に背面識別マーク６１および６２が設けられた表示端末装置６０の背面側斜め上方から見た斜視図である。表示端末装置６０の背面１９には、表示画面１０（図１参照）の位置を直線状に示す背面識別マーク６１および６２が設けられている。具体的には、背面識別マーク６１は、表示画面１０の短辺２１（図１参照）の位置を示し、表示画面１０の左上の角２３（図１参照）を示す位置から、背面１９の上端部に到達する直線である。背面識別マーク６２は、表示画面１０の長辺２２（図１参照）の位置を示し、表示画面１０の左上の角２３を示す位置から、背面１９の左端部に到達する直線である。よって、表示画面１０の左上の角２３を示す位置において、背面識別マーク６１および６２は直角を形成している。
【００５３】
表示端末装置６０の表示画面１０を複写する場合、ユーザは、原稿台１０１の上方から見て、背面識別マーク６１および６２で形成される、表示端末装置６０の表示画面１０の左上の角２３を示す角が、原稿台１０１の左奥の角と重なるように、表示端末装置６０の位置を合わせれば良い。
【００５４】
このように、表示端末装置６０の背面１９に設けられた背面識別マーク６１および６２で表示画面１０の左上の角２３の位置を示すことで、ユーザは、表示画面１０の位置を容易に把握でき、コピー機１００の読取領域と表示端末装置６０の表示画面１０との位置合わせを容易に行うことがきる。
【００５５】
また、図１０に示すように表示端末装置６５の背面１９に正方形識別マーク６６が設けられていても良い。図１０は、背面１９に正方形識別マーク６６が設けられた表示端末装置６５の背面側斜め上方から見た斜視図である。表示端末装置６５の背面１９には、表示画面１０（図１参照）の位置を示す正方形状の正方形識別マーク６６が設けられている。正方形識別マーク６６は、例えば１ｃｍ角の正方形の外形を示す線である。
【００５６】
次に、表示端末装置６５の表示画面１０を複写する場合、ユーザは、原稿台１０１の上方から見て、正方形識別マーク６６と原稿台１０１の左奥の角とが重なるように、表示端末装置６０の位置を合わせれば良い。
【００５７】
このように、正方形で表示端末装置６５の表示画面１０の左上の角２３の位置を示すことで、ユーザは、コピー機１００の読取領域と表示端末装置６５の表示画面１０の位置合わせを容易に行うことができる。
【００５８】
また、図１１に示すように表示端末装置７０の背面１９に十字識別マーク７１および正方形識別マーク７２が設けられていても良い。図１１は、背面１９に十字識別マーク７１および正方形識別マーク７２が設けられた表示端末装置７０の背面側斜め上方から見た斜視図である。表示端末装置７０の背面１９には表示端末装置７０の表示画面１０（図１参照）の左上の角２３の位置を示す十字識別マーク７１、および表示端末装置７０の表示画面１０の右下の角２５（図１参照）の位置を示す正方形識別マーク７２が設けられている。十字識別マーク７１は、十字に交差する、例えば各１ｃｍ程度の長さを有する２本の直線から構成される。正方形識別マーク７２は、図１０に示した正方形識別マーク６６と同様のマークである。
【００５９】
表示端末装置７０の表示画面を複写する場合、ユーザは、原稿台１０１の上方から見て、十字識別マーク７１と原稿台１０１の左奥の角とが重なるように、表示端末装置７０を位置合わせすれば良い。さらに、ユーザは、表示端末装置６５の背面から正方形識別マーク７２により表示画面１０の右下の角２５の位置を把握できる。よって、ユーザは、予め表示画面１０のサイズを把握していなくても、「Ａ４Ｒ」および「Ａ３」などの用紙サイズを示す、原稿台１０１の外周部に設けられた表示と、正方形識別マーク７２とを比較することにより、表示端末装置７０の背面１９から表示画面１０のサイズを確認することができる。この場合、ユーザは、最適な用紙サイズを指定することにより、表示画面１０のみを複写できる。また、ユーザは、表示画面１０のサイズが分かるので、拡大・縮小時の倍率を適切に指定することができる。
【００６０】
また、表示端末装置７０に設けられる識別マークを表示端末装置７０の上下方向で異なる識別マーク（十字識別マーク７１および正方形識別マーク７２）とすることで、ユーザは、表示端末装置７０の上下方向を表示端末装置７０の背面１９から容易に把握することができる。これにより、表示画面１０を最適な位置で複写することができる。
【００６１】
また、図１２に示すように、表示端末装置８５に表示画面１０（図１参照）の輪郭線を示す凹部識別マーク８６が設けられていても良い。図１２は、背面１９に凹部識別マーク８６が設けられた表示端末装置８５の背面側斜め上方から見た斜視図である。表示端末装置８５の背面１９には、表示画面１０の全体の位置を示し、筐体４０の外面に対して凹部として形成されている背面視長方形状の凹部識別マーク８６が設けられている。具体的には、凹部識別マーク８６は、表示画面１０を背面１９に投影した場合に、表示画面１０の輪郭線で囲まれる凹部である。なお、凹部識別マーク８６は、表示画面１０の短辺２１を示す短辺８７、および表示画面１０の長辺２２を示す長辺８８を有している。
【００６２】
表示端末装置８５の表示画面１０を複写する場合、原稿台１０１の上方から見て、凹部識別マーク８６の背面視で右上の角と、原稿台１０１の左奥の角とが重なるように、表示端末装置８５を載置する。この時、ユーザは、短辺８７と短辺基準線１０７（図５参照）とが同一直線上に載るように、また、長辺８８と長辺基準線１０８（図５参照）とが同一直線上に載るように表示端末装置８５の位置合わせを行えば良い。
【００６３】
このように、凹部識別マーク８６により表示端末装置８５の表示画面１０の輪郭線を示すことで、ユーザは、明確に表示画面１０の位置を把握できる。そして、コピー機１００の読取領域と、表示端末装置８５の表示画面との位置合わせを容易に行うことができる。また、凹部識別マーク８６は凹形状である。よって、コピー機１００の原稿台１０１と表示端末装置８５の表示画面１０とが対向するように表示端末装置を載置し、原稿カバー１０３（図５参照）を閉じた時に、凹部識別マーク８６と原稿カバー１０３とが干渉することなく、原稿カバー１０３を安定して閉じることができる。
【００６４】
また、図１３に示すように、表示端末装置７５の背面１９および側面１８１〜１８４に表示画面１０（図１参照）の外形および中心２６（図１参照）の位置を示す識別マークが設けられていても良い。図１３は、背面１９および上側面１８１および左側面１８３に表示画面１０の外形および中心２６の位置を示す識別マークが設けられた表示端末装置７５の背面側斜め上方から見た斜視図である。表示端末装置７５の背面１９には、表示画面１０の長手方向の中心の位置を示す直線状の背面横中心識別マーク７６、表示画面１０の短手方向の中心の位置を示す直線状の背面縦中心識別マーク７７が設けられている。具体的には、背面横中心識別マーク７６は、表示画面１０を背面１９に投影した場合に表示画面１０の長手方向の中心線に対応する直線である。背面縦中心識別マーク７７は、表示画面１０を背面１９に投影した場合に表示画面１０の短手方向の中心線に対応する直線である。よって、背面横中心識別マーク７６および背面縦中心識別マーク７７は、表示画面１０の中心２６に対応する位置で直交する。また、表示端末装置７５の背面１９には、表示画面１０の輪郭線を示す輪郭識別マーク９１が設けられている。具体的には、輪郭識別マーク９１は、表示画面１０を背面１９に投影した場合に表示画面１０の輪郭線に対応する線である。
【００６５】
そして、表示端末装置７５の上側面１８１および左側面１８３にはそれぞれ、側面縦中心識別マーク７９および側面横中心識別マーク７８が設けられている。また、図１３に示すように、表示端末装置７５の下側面１８２および右側面１８４にはそれぞれ、側面縦中心識別マーク８３および側面横中心識別マーク８２が設けられている。
【００６６】
次に、図１４を参照して、表示端末装置７５の表示画面１０の複写方法について説明する。図１４は、表示端末装置７５が原稿台２０１に載置されたコピー機２００を右斜め上方から見た斜視図である。図１４に示すコピー機２００の原稿台２０１は中央基準を採用している。中央基準とは、原稿台２０１に複写対象を載置する際、原稿台２０１の左側の短辺の直線である短辺基準線２０７の中央の目印の中央線２０９と、短辺基準線２０７に当接される複写対象の一辺の中央とを合わせる方式を言う。
【００６７】
以下、表示端末装置７５の表示画面１０の複写方法について説明する。図１４に示すように、ユーザは、表示端末装置１を原稿台２０１の短辺基準線２０７と重なる状態で、原稿台２０１と表示画面１０（図１参照）とが対向するように原稿台２０１に載置する。このとき、原稿台２０１の上方から、表示端末装置７５の背面に設けられた輪郭識別マーク９１および背面縦中心識別マーク７７と、原稿台２０１に設けられた短辺基準線２０７および中央線２０９とを確認する。そして、輪郭識別マーク９１の上辺部分と短辺基準線２０７とが直線でつながるように、また、背面縦中心識別マーク７７と中央線２０９とが直線でつながるように、表示端末装置７５の位置合わせを行う。そして、ユーザは原稿カバー２０３を閉じ、複写ボタン２０４を押下することにより複写を行う。
【００６８】
このように、表示画面１０の中心２６の位置を示す識別マークを有する表示端末装置７５を用いることにより、中央基準のコピー機２００にも対応でき、コピー機２００の読取領域と、表示端末装置７５の表示画面１０との位置合わせを行うことができる。また、表示端末装置７５の側面１８１〜１８４にも、表示画面１０の中心２６の位置を示す識別マークが設けられている。側面縦中心識別マーク７９（図１３参照）を用いれば、原稿カバー２０３が閉じられ、表示端末装置７５の背面１９が視認困難な場合でも中央基準のコピー機２００において、コピー機２００の読取領域と表示画面１０の位置合わせを行うことができる。
【００６９】
さらに、輪郭識別マーク９１を用いれば、図５に示す端基準のコピー機１００においても、コピー機１００の読取領域と表示画面１０の位置合わせを行うこともできる。つまり、表示端末装置７５は、コピー機の端基準および中央基準を問わず用いることができる。よって、表示端末装置７５を用いることにより、ユーザは、自分にとって位置合わせをし易い識別マークを選択して位置合わせを行うことができる。
【００７０】
なお、図１に示す短辺２１および長辺２２が、本発明の「隣り合う二辺」に相当し、図１４に示す凹部識別マーク８６が、本発明の「凹部」に相当する。
【００７１】
なお、上記の実施形態に示される表示端末装置の構成は例示であり、本発明は各種の変形が可能なことはいうまでもない。
【００７２】
前述の実施の形態では、表示端末装置１は、正面１７、側面（１８１〜１８４）および背面１９を有する略直方体形状であったが、図１５に示すように、実質的に側面が存在しないシート状の表示端末装置９０であっても良い。図１５は、変形例に係る表示端末装置９０の斜視図である。表示端末装置９０は表面２７および裏面２９から形成され、実質的に側面を有さない平面視長方形状である。そして、コピー機１００（図５参照）の読取領域と、表示端末装置９０の表示画面１０（図１参照）との位置合わせを行うための識別マークは、裏面２９にのみ設けられる。この場合、識別マークは、表示画面１０の短辺２１（図１参照）および長辺２２（図１参照）を示す直線状の識別マークでも良いし、表示画面１０の中心２６を示す識別マークでも良いし、表示画面１０の輪郭線を示す識別マークでも良い。また、表示画面１０の四つの角のうち少なくとも１つを示す識別マークでも良い。
【００７３】
また、前述の実施形態では、正方形識別マーク６６および７２は、約１ｃｍ角の正方形であったが、正方形の一辺の長さは１ｃｍに限らない。また、前述の実施形態では、表示画面１０の角を示す識別マークは、十字および正方形であったが、形状はこれに限らない。例えば、長方形、三角形、平行四辺形およびひし形などでも良い。
【００７４】
また、前述の実施形態では、表示画面１０の位置を直線で示す識別マークは、背面１９又は側面１８１〜１８４の端部の両端まで到達していたが、直線で示す識別マークは、背面１９又は側面１８１〜１８４の端部の片方にのみ到達していても良い。
【００７５】
また、前述の実施形態では、表示画面１０の上下方向で異なる形状の識別マークを付すことを１つの例として説明したが、識別マークを上下、同形状にして、色を異なるものとしても良い。
【図面の簡単な説明】
【００７６】
【図１】表示端末装置１の正面側斜め上方から見た斜視図である。
【図２】上側面１８１、左側面１８３および背面１９に側面識別マークおよび背面識別マークが設けられた表示端末装置１の背面側斜め上方から見た斜視図である。
【図３】下側面１８２、右側面１８４および背面１９に側面識別マークおよび背面識別マークが設けられた表示端末装置１の背面側斜め下方から見た斜視図である。
【図４】表示端末装置１の電気的構成を示すブロック図である。
【図５】表示端末装置１が原稿台１０１に載置されたコピー機１００を右斜め上方から見た斜視図である。
【図６】表示端末装置１が原稿台１０１に載置された状態で原稿カバー１０３が閉じられたコピー機１００を左斜め上方から見た斜視図である。
【図７】背面１９に矢印識別マーク５１および５２が設けられた表示端末装置５０の背面側斜め上方から見た斜視図である。
【図８】下側面１８２および右側面１８４にそれぞれ側面識別マーク５６および５７が設けられた表示端末装置５５の背面側斜め下方から見た斜視図である。
【図９】背面１９に背面識別マーク６１および６２が設けられた表示端末装置６０の背面側斜め上方から見た斜視図である。
【図１０】背面１９に正方形識別マーク６６が設けられた表示端末装置６５の背面側斜め上方から見た斜視図である。
【図１１】背面１９に十字識別マーク７１および正方形識別マーク７２が設けられた表示端末装置７０の背面側斜め上方から見た斜視図である。
【図１２】背面１９に凹部識別マーク８６が設けられた表示端末装置８５の背面側斜め上方から見た斜視図である。
【図１３】背面１９および上側面１８１および左側面１８３に表示画面１０の外形および中心２６の位置を示す識別マークが設けられた表示端末装置７５の背面側斜め上方から見た斜視図である。
【図１４】表示端末装置７５が原稿台２０１に載置されたコピー機２００を右斜め上方から見た斜視図である。
【図１５】変形例に係る表示端末装置９０の斜視図である。
【符号の説明】
【００７７】
１、５０、５５、６０、６５、７０、７５、８５、９０  表示端末装置
１０  表示画面
１７  正面
１９  背面
１１、１２、６１、６２、８７、８８  背面識別マーク
１３、１４、１５、１６、５６、５７  側面識別マーク
２１、８７  短辺
２２、８８  長辺
２３  左上の角
２５  右下の角
２６  中心
４０  筐体
５１、５２  矢印識別マーク
６６、７２  正方形識別マーク
７１  十字識別マーク
７６  背面横中心識別マーク
７７  背面縦中心識別マーク
７８、８２  側面横中心識別マーク
７９、８３  側面縦中心識別マーク
８６  凹部識別マーク
１８１  上側面
１８２  下側面
１８３  左側面
１８４  右側面
【図１】
2010141793.tif 000003
【図２】
2010141793.tif 000004
【図３】
2010141793.tif 000005
【図４】
2010141793.tif 000006
【図５】
2010141793.tif 000007
【図６】
2010141793.tif 000008
【図７】
2010141793.tif 000009
【図８】
2010141793.tif 000010
【図９】
2010141793.tif 000011
【図１０】
2010141793.tif 000012
【図１１】
2010141793.tif 000013
【図１２】
2010141793.tif 000014
【図１３】
2010141793.tif 000015
【図１４】
2010141793.tif 000016
【図１５】
2010141793.tif 000017